(57)【要約】【課題】原料の原価の変動が頻繁に起こる原料の構成比率を自由に組み合わせ可能な製品において、想定される原料の原価をもとに予め製造時の原料配分をシミュレーションすることで原料の仕入値の変動に前もって柔軟に対応することを可能とする販売管理装置、販売管理方法、および、販売管理プログラムを提供することを課題とする。【解決手段】製品を構成する原料毎の原料原価単価を入力させるように表示制御し、当該原料と当該原料原価単価とを設定した原料原価単価マスタを設定し、製品の基準数量に対する原料毎のシミュレーション構成数量またはシミュレーション構成比率を入力させるように表示制御し、当該原料と当該シミュレーション構成数量または当該シミュレーション構成比率に基づくシミュレーション構成数量とを設定したシミュレーション構成マスタを設定し、製品のシミュレーション製品原価単価を取得する。【選択図】図１
2019106115.tif 000002
【特許請求の範囲】
【請求項１】
記憶部と制御部とを備えた販売管理装置であって、
前記制御部は、
製品を構成する原料毎の原料原価単価を入力させるように表示制御し、当該原料原価単価が入力された場合、当該原料と当該原料原価単価とを設定した原料原価単価マスタを設定する原料原価単価設定手段と、
前記製品の基準数量に対する前記原料毎のシミュレーション構成数量またはシミュレーション構成比率を入力させるように表示制御し、当該シミュレーション構成数量または当該シミュレーション構成比率が入力された場合、当該原料と当該シミュレーション構成数量または当該シミュレーション構成比率に基づくシミュレーション構成数量とを設定したシミュレーション構成マスタを設定するシミュレーション構成設定手段と、
前記原料原価単価マスタおよび前記シミュレーション構成マスタに基づいて、前記製品のシミュレーション製品原価単価を取得する製品原価単価取得手段と、
を備えたことを特徴とする販売管理装置。
【請求項２】
前記記憶部は、
前記製品の販売時における標準製品原価単価を設定した標準原価マスタを記憶する標準原価記憶手段、
を更に備え、
前記製品原価単価取得手段は、
更に、前記シミュレーション製品原価単価を前記標準製品原価単価に反映することを特徴とする請求項１に記載の販売管理装置。
【請求項３】
前記記憶部は、
前記製品の製造時における前記原料毎の構成数量を設定した製造構成マスタを記憶する製造構成記憶手段、
を更に備え、
前記シミュレーション構成設定手段は、
更に、前記シミュレーション構成数量を前記製造時における原料毎の構成数量として前記製造構成マスタに設定することを特徴とする請求項１または２に記載の販売管理装置。
【請求項４】
前記原料原価単価設定手段は、
更に、前記原料原価単価マスタを前記記憶部に格納することを特徴とする請求項１から３のいずれか一つに記載の販売管理装置。
【請求項５】
前記シミュレーション構成設定手段は、
更に、前記シミュレーション構成マスタを前記記憶部に格納することを特徴とする請求項１から４のいずれか一つに記載の販売管理装置。
【請求項６】
記憶部と制御部とを備えた販売管理装置に実行させるための販売管理方法であって、
前記制御部で実行させる、
製品を構成する原料毎の原料原価単価を入力させるように表示制御し、当該原料原価単価が入力された場合、当該原料と当該原料原価単価とを設定した原料原価単価マスタを設定する原料原価単価設定ステップと、
前記製品の基準数量に対する前記原料毎のシミュレーション構成数量またはシミュレーション構成比率を入力させるように表示制御し、当該シミュレーション構成数量または当該シミュレーション構成比率が入力された場合、当該原料と当該シミュレーション構成数量または当該シミュレーション構成比率に基づくシミュレーション構成数量とを設定したシミュレーション構成マスタを設定するシミュレーション構成設定ステップと、
前記原料原価単価マスタおよび前記シミュレーション構成マスタに基づいて、前記製品のシミュレーション製品原価単価を取得する製品原価単価取得ステップと、
を含むことを特徴とする販売管理方法。
【請求項７】
記憶部と制御部とを備えた販売管理装置に実行させるための販売管理プログラムであって、
前記制御部において、
製品を構成する原料毎の原料原価単価を入力させるように表示制御し、当該原料原価単価が入力された場合、当該原料と当該原料原価単価とを設定した原料原価単価マスタを設定する原料原価単価設定ステップと、
前記製品の基準数量に対する前記原料毎のシミュレーション構成数量またはシミュレーション構成比率を入力させるように表示制御し、当該シミュレーション構成数量または当該シミュレーション構成比率が入力された場合、当該原料と当該シミュレーション構成数量または当該シミュレーション構成比率に基づくシミュレーション構成数量とを設定したシミュレーション構成マスタを設定するシミュレーション構成設定ステップと、
前記原料原価単価マスタおよび前記シミュレーション構成マスタに基づいて、前記製品のシミュレーション製品原価単価を取得する製品原価単価取得ステップと、
を実行させるための販売管理プログラム。
【発明の詳細な説明】
【技術分野】
【０００１】
本発明は、販売管理装置、販売管理方法、および、販売管理プログラムに関する。
【背景技術】
【０００２】
特許文献１には、製品を構成する原価構成要素となる部品毎に、当該部品の調達地域の通貨で部品原価を計算し、当該製品製造時の為替レートにしたがって製品原価をシミュレーションする構成が開示されている。
【先行技術文献】
【特許文献】
【０００３】
【特許文献１】特開２０１２−２２１０２０号公報
【発明の概要】
【発明が解決しようとする課題】
【０００４】
しかしながら、上記特許文献１記載の発明においては、時期による製品の部品構成を変更することができるが、基本的に１製品を組み立てるために必要になる部品構成パターンは１種類であり、原料の構成比率を自由に組み合わせ可能な製品に対する原価シミュレーションを行うことはできなかったという課題があった。
【０００５】
本発明は、上記問題点に鑑みてなされたものであって、原料の原価の変動が頻繁に起こる原料の構成比率を自由に組み合わせ可能な製品において、想定される原料の原価をもとに予め製造時の原料配分をシミュレーションすることで原料の仕入値の変動に前もって柔軟に対応することを可能とする販売管理装置、販売管理方法、および、販売管理プログラムを提供することを目的とする。
【課題を解決するための手段】
【０００６】
上述した課題を解決し、目的を達成するために、本発明に係る販売管理装置は、記憶部と制御部とを備えた販売管理装置であって、前記制御部は、製品を構成する原料毎の原料原価単価を入力させるように表示制御し、当該原料原価単価が入力された場合、当該原料と当該原料原価単価とを設定した原料原価単価マスタを設定する原料原価単価設定手段と、前記製品の基準数量に対する前記原料毎のシミュレーション構成数量またはシミュレーション構成比率を入力させるように表示制御し、当該シミュレーション構成数量または当該シミュレーション構成比率が入力された場合、当該原料と当該シミュレーション構成数量または当該シミュレーション構成比率に基づくシミュレーション構成数量とを設定したシミュレーション構成マスタを設定するシミュレーション構成設定手段と、前記原料原価単価マスタおよび前記シミュレーション構成マスタに基づいて、前記製品のシミュレーション製品原価単価を取得する製品原価単価取得手段と、を備えたことを特徴とする。
【０００７】
また、本発明に係る販売管理装置は、前記記憶部は、前記製品の販売時における標準製品原価単価を設定した標準原価マスタを記憶する標準原価記憶手段、を更に備え、前記製品原価単価取得手段は、更に、前記シミュレーション製品原価単価を前記標準製品原価単価に反映することを特徴とする。
【０００８】
また、本発明に係る販売管理装置は、前記記憶部は、前記製品の製造時における前記原料毎の構成数量を設定した製造構成マスタを記憶する製造構成記憶手段、を更に備え、前記シミュレーション構成設定手段は、更に、前記シミュレーション構成数量を前記製造時における原料毎の構成数量として前記製造構成マスタに設定することを特徴とする。
【０００９】
また、本発明に係る販売管理装置は、前記原料原価単価設定手段は、更に、前記原料原価単価マスタを前記記憶部に格納することを特徴とする。
【００１０】
また、本発明に係る販売管理装置は、前記シミュレーション構成設定手段は、更に、前記シミュレーション構成マスタを前記記憶部に格納することを特徴とする。
【００１１】
また、本発明に係る販売管理方法は、記憶部と制御部とを備えた販売管理装置に実行させるための販売管理方法であって、前記制御部で実行させる、製品を構成する原料毎の原料原価単価を入力させるように表示制御し、当該原料原価単価が入力された場合、当該原料と当該原料原価単価とを設定した原料原価単価マスタを設定する原料原価単価設定ステップと、前記製品の基準数量に対する前記原料毎のシミュレーション構成数量またはシミュレーション構成比率を入力させるように表示制御し、当該シミュレーション構成数量または当該シミュレーション構成比率が入力された場合、当該原料と当該シミュレーション構成数量または当該シミュレーション構成比率に基づくシミュレーション構成数量とを設定したシミュレーション構成マスタを設定するシミュレーション構成設定ステップと、前記原料原価単価マスタおよび前記シミュレーション構成マスタに基づいて、前記製品のシミュレーション製品原価単価を取得する製品原価単価取得ステップと、を含むことを特徴とする。
【００１２】
また、本発明に係る販売管理プログラムは、記憶部と制御部とを備えた販売管理装置に実行させるための販売管理プログラムであって、前記制御部において、製品を構成する原料毎の原料原価単価を入力させるように表示制御し、当該原料原価単価が入力された場合、当該原料と当該原料原価単価とを設定した原料原価単価マスタを設定する原料原価単価設定ステップと、前記製品の基準数量に対する前記原料毎のシミュレーション構成数量またはシミュレーション構成比率を入力させるように表示制御し、当該シミュレーション構成数量または当該シミュレーション構成比率が入力された場合、当該原料と当該シミュレーション構成数量または当該シミュレーション構成比率に基づくシミュレーション構成数量とを設定したシミュレーション構成マスタを設定するシミュレーション構成設定ステップと、前記原料原価単価マスタおよび前記シミュレーション構成マスタに基づいて、前記製品のシミュレーション製品原価単価を取得する製品原価単価取得ステップと、を実行させることを特徴とする。
【発明の効果】
【００１３】
本発明によれば、原料の原価の変動に合わせて製品製造時の原料配分の変更や内容量の変更で対応することが多い食品業界等において、シミュレーションを行った結果の原価および原料の原料構成を正式なものとして登録できる仕組みとすることで、原料の仕入値変動に伴う業務の効率化を可能とするという効果を奏する。また、本発明によれば、原材料の原価変動を的確にとらえることができるという効果を奏する。
【図面の簡単な説明】
【００１４】
【図１】図１は、販売管理装置の構成の一例を示すブロック図である。
【図２】図２は、本実施形態における販売管理装置の処理の一例を示すフロー図である。
【図３】図３は、本実施形態におけるシミュレーション原価マスタメンテ画面の一例を示す図である。
【図４】図４は、本実施形態におけるシミュレーション構成マスタメンテ画面の一例を示す図である。
【図５】図５は、本実施形態におけるシミュレーション原価表の一例を示す図である。
【図６】図６は、本実施形態における原価シミュレーション処理の一例を示す図である。
【図７】図７は、本実施形態における販売管理装置の処理の一例を示すフロー図である。
【図８】図８は、本実施形態における標準原価反映処理の一例を示す図である。
【図９】図９は、本実施形態における販売管理装置の処理の一例を示すフロー図である。
【図１０】図１０は、本実施形態における製造構成反映処理の一例を示す図である。
【図１１】図１１は、本実施形態における紐付けデータ構造の一例を示す図である。
【発明を実施するための形態】
【００１５】
本発明の実施形態を図面に基づいて詳細に説明する。なお、本発明は本実施形態により限定されるものではない。
【００１６】
［１．概要］
まず、本発明の概要を説明する。
【００１７】
従来、食品を製造・販売している業界において、製品の原価の変動に際し原価および売価を事前にシミュレーションすることがあり、単純な売価の増減だけでなく製品に使用する原料の配合率または分量の調整を行うことがあるが、食品業界における販売管理システムにおいては、原価のシミュレーションが行えず、システム外でシミュレーションが行われていた。このように、原料の原価の変動への対応がシステム外で検討されることで、業務が煩雑化および俗人化することが多かった。
【００１８】
そこで、本実施形態においては、販売管理システム内で製品の原価シミュレーションを可能とすることにより、シミュレーション結果の製造構成や製品の原価単価を正としてそのまま採用および登録する機能を備えることで、原価のシミュレーションおよび販売管理システム内の標準原価マスタ・製造構成マスタとの連携を可能としている。
【００１９】
［２．構成］
本実施形態に係る販売管理装置１００の構成の一例について、図１を参照して説明する。図１は、販売管理装置１００の構成の一例を示すブロック図である。
【００２０】
販売管理装置１００は、市販のデスクトップ型パーソナルコンピュータである。なお、販売管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２１】
販売管理装置１００は、制御部１０２と通信インターフェース部１０４と記憶部１０６と入出力インターフェース部１０８と、を備えている。販売管理装置１００が備えている各部は、任意の通信路を介して通信可能に接続されている。
【００２２】
通信インターフェース部１０４は、ルータ等の通信装置および専用線等の有線または無線の通信回線を介して、販売管理装置１００をネットワーク３００に通信可能に接続する。通信インターフェース部１０４は、他の装置と通信回線を介してデータを通信する機能を有する。ここで、ネットワーク３００は、販売管理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００２３】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。記憶部１０６は、原料原価単価マスタ１０６ａと、シミュレーション構成マスタ１０６ｂと、シミュレーションファイル１０６ｃと、標準原価マスタ１０６ｄと、製造構成マスタ１０６ｅとを備えている。
【００２４】
原料原価単価マスタ１０６ａは、製品（商品）を構成する原料と原料毎の原料原価単価とを設定したマスタである。ここで、原料原価単価マスタ１０６ａは、原料コード（子商品コード）、および／または、原料名称（子商品名称）等を含んでいてもよい。
【００２５】
シミュレーション構成マスタ１０６ｂは、製品（親商品）を構成する原料（子商品）と製品の基準数量に対する原料毎のシミュレーション構成数量（使用数量）を設定したマスタである。ここで、シミュレーション構成マスタ１０６ｂは、原料コード（子商品コード）、原料名称（子商品名称）、製品コード（親商品コード）、製品名称（親商品名称）、構成パターンデータ、シミュレーション構成比率および／または製品の基準数量等を含んでいてもよい。
【００２６】
シミュレーションファイル１０６ｃは、製品のシミュレーション製品原価単価を記憶する。ここで、シミュレーションファイル１０６ｃは、原料コード（子商品コード）、原料名称（子商品名称）、製品コード（親商品コード）、製品名称（親商品名称）、製品の基準数量に対する原料毎のシミュレーション構成数量、製品の基準数量、原料毎の原料原価単価および／または原料原価等を含んでいてもよい。
【００２７】
標準原価マスタ１０６ｄは、製品の販売時における標準製品原価単価を設定したマスタである。ここで、標準原価マスタ１０６ｄは、製品コード（親商品コード）および／または製品名称（親商品名称）等を含んでいてもよい。
【００２８】
製造構成マスタ１０６ｅは、製品の製造時における原料毎の構成数量を設定したマスタである。ここで、製造構成マスタ１０６ｅは、原料コード（子商品コード）、原料名称（子商品名称）、製品コード（親商品コード）、製品名称（親商品名称）、構成比率および／または製品の基準数量等を含んでいてもよい。
【００２９】
入出力インターフェース部１０８には、入力装置１１２および出力装置１１４が接続されている。出力装置１１４には、モニタ（タッチパネルを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４またはプリンタ１１４とし、入力装置１１２をキーボード１１２またはマウス１１２として記載する場合がある。
【００３０】
制御部１０２は、販売管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、原料原価単価設定部１０２ａと、シミュレーション構成設定部１０２ｂと、製品原価単価取得部１０２ｃとを備えている。
【００３１】
原料原価単価設定部１０２ａは、製品を構成する原料毎の原料原価単価を入力させるように表示制御し、当該原料原価単価が入力された場合、当該原料と当該原料原価単価とを設定した原料原価単価マスタ１０６ａを設定する。ここで、原料原価単価設定部１０２ａは、原料原価単価マスタ１０６ａを記憶部１０６に格納してもよい。
【００３２】
シミュレーション構成設定部１０２ｂは、製品の基準数量に対する原料毎のシミュレーション構成数量またはシミュレーション構成比率を入力させるように表示制御し、当該シミュレーション構成数量または当該シミュレーション構成比率が入力された場合、当該原料と当該シミュレーション構成数量または当該シミュレーション構成比率に基づくシミュレーション構成数量とを設定したシミュレーション構成マスタ１０６ｂを設定する。ここで、シミュレーション構成設定部１０２ｂは、シミュレーション構成数量を製造時における原料毎の構成数量として製造構成マスタ１０６ｅに設定してもよい。また、シミュレーション構成設定部１０２ｂは、シミュレーション構成マスタ１０６ｂを記憶部１０６に格納してもよい。
【００３３】
製品原価単価取得部１０２ｃは、原料原価単価マスタ１０６ａおよびシミュレーション構成マスタ１０６ｂに基づいて、製品のシミュレーション製品原価単価を取得する。ここで、製品原価単価取得部１０２ｃは、シミュレーション製品原価単価を標準製品原価単価に反映してもよい。また、製品原価単価取得部１０２ｃは、シミュレーション製品原価単価をシミュレーションファイル１０６ｃに格納してもよい。また、製品原価単価取得部１０２ｃは、シミュレーション製品原価単価に関するシミュレーション原価表データを作成してもよい。
【００３４】
［３．具体例］
本実施形態の具体例について、図２から図１１を参照して説明する。
【００３５】
［原価シミュレーション処理］
ここで、図２から図６を参照して、本実施形態における原価シミュレーション処理の一例について説明する。図２は、本実施形態における販売管理装置１００の処理の一例を示すフロー図である。
【００３６】
図２に示すように、原料原価単価設定部１０２ａは、製品を構成する原料毎の原料原価単価を入力させるためのシミュレーション原価マスタメンテ画面を出力装置１１４に表示し、ユーザにより入力装置１１２を介して当該原料原価単価が入力された場合、当該原料と当該原料原価単価とを設定した原料原価単価マスタ１０６ａを設定し、原料原価単価マスタ１０６ａを記憶部１０６に格納する（ステップＳＡ−１）。
【００３７】
そして、シミュレーション構成設定部１０２ｂは、製品の基準数量に対する原料毎のシミュレーション構成数量またはシミュレーション構成比率を入力させるためのシミュレーション構成マスタメンテ画面を出力装置１１４に表示し、ユーザにより入力装置１１２を介して当該シミュレーション構成数量または当該シミュレーション構成比率が入力された場合、当該原料と当該シミュレーション構成数量または当該シミュレーション構成比率に基づくシミュレーション構成数量とを設定したシミュレーション構成マスタ１０６ｂを設定し、シミュレーション構成マスタ１０６ｂを記憶部１０６に格納する（ステップＳＡ−２）。
【００３８】
そして、製品原価単価取得部１０２ｃは、原料原価単価マスタ１０６ａおよびシミュレーション構成マスタ１０６ｂに基づいて、製品のシミュレーション原価計算処理を実行し、製品のシミュレーション製品原価単価（シミュレーション製造原価単価）を取得する（ステップＳＡ−３）。
【００３９】
そして、製品原価単価取得部１０２ｃは、製品のシミュレーション製造原価単価をシミュレーションファイル１０６ｃに格納する（ステップＳＡ−４）。
【００４０】
そして、製品原価単価取得部１０２ｃは、シミュレーション製品原価単価に関するシミュレーション原価表データを作成して、シミュレーション原価表データを出力装置１１４に表示し（ステップＳＡ−５）、処理を終了する。
【００４１】
ここで、図３および図４を参照して、本実施形態におけるマスタメンテ画面の一例について説明する。図３は、本実施形態におけるシミュレーション原価マスタメンテ画面の一例を示す図である。図４は、本実施形態におけるシミュレーション構成マスタメンテ画面の一例を示す図である。
【００４２】
図３に示すように、本実施形態におけるシミュレーション原価マスタメンテ画面においては、商品の構成品（小商品）の、現時点における原価単価、または、製造時点において予想される原価単価等を登録することができる。
【００４３】
また、図４に示すように、本実施形態における品番マスタメンテ画面（シミュレーション構成マスタメンテ画面）においては、商品の基準数量に対する、構成品毎の原価シミュレーション用の構成データを登録することができる。
【００４４】
また、図５を参照して、本実施形態におけるシミュレーション原価表の一例について説明する。図５は、本実施形態におけるシミュレーション原価表の一例を示す図である。
【００４５】
図５に示すように、本実施形態においては、シミュレーション製品原価単価に関する計算結果の確認帳票としてシミュレーション原価表を出力することができる。
【００４６】
ここで、図６を参照して、本実施形態における原価シミュレーション処理の具体例について説明する。図６は、本実施形態における原価シミュレーション処理の一例を示す図である。
【００４７】
図６に示すように、本実施形態においては、子商品名称とユーザ入力による子商品原価単価とが設定された原料原価単価マスタ１０６ａ、および、親商品名称と親商品の基準数量と子商品名称とユーザ入力による子商品のシミュレーション構成数量とが設定されたシミュレーション構成マスタ１０６ｂに基づいて、原価シミュレーション処理が実行され、親商品名称と親商品の基準数量と親商品の製品原価単価と子商品名称と子商品のシミュレーション構成数量と子商品原価単価と１親商品あたりの子商品の原価とを含むシミュレーション原価表データを作成している。
【００４８】
［標準原価反映処理］
ここで、図７および図８を参照して、本実施形態における標準原価反映処理の一例について説明する。図７は、本実施形態における販売管理装置１００の処理の一例を示すフロー図である。
【００４９】
図７に示すように、製品原価単価取得部１０２ｃは、シミュレーションファイル１０６ｃに記憶されたシミュレーション製造原価単価を取得する（ステップＳＢ−１）。
【００５０】
そして、製品原価単価取得部１０２ｃは、シミュレーション製品原価単価を標準原価マスタ１０６ｄに記憶された標準製品原価単価に反映する標準原価反映処理を実行する（ステップＳＢ−２）。
【００５１】
そして、製品原価単価取得部１０２ｃは、標準原価マスタ１０６ｄの更新処理を実行し（ステップＳＢ−３）、処理を終了する。
【００５２】
ここで、図８を参照して、本実施形態における標準原価反映処理の具体例について説明する。図８は、本実施形態における標準原価反映処理の一例を示す図である。
【００５３】
図８に示すように、本実施形態においては、シミュレーションファイル１０６ｃに記憶された親商品名称と親商品の基準数量と親商品の製品原価単価と子商品名称と子商品のシミュレーション構成数量と子商品原価単価と１親商品あたりの子商品の原価とを含むシミュレーション原価表データを標準原価マスタ１０６ｄに記憶された標準製品原価単価に反映する標準原価反映処理を実行している。
【００５４】
［製造構成反映処理］
また、図９および図１０を参照して、本実施形態における製造構成反映処理の一例について説明する。図９は、本実施形態における販売管理装置１００の処理の一例を示すフロー図である。
【００５５】
図９に示すように、シミュレーション構成設定部１０２ｂは、シミュレーション構成マスタ１０６ｂに記憶されたシミュレーション構成数量を取得する（ステップＳＣ−１）。
【００５６】
そして、シミュレーション構成設定部１０２ｂは、シミュレーション構成数量を製造構成マスタ１０６ｅに記憶された製造時における原料毎の構成数量に反映する製造構成反映処理を実行する（ステップＳＣ−２）。
【００５７】
そして、シミュレーション構成設定部１０２ｂは、製造構成マスタ１０６ｅの更新処理を実行し（ステップＳＣ−３）、処理を終了する。
【００５８】
ここで、図１０を参照して、本実施形態における製造構成反映処理の具体例について説明する。図１０は、本実施形態における製造構成反映処理の一例を示す図である。
【００５９】
図１０に示すように、本実施形態においては、シミュレーション構成マスタ１０６ｂに記憶された親商品名称と親商品の基準数量と子商品（原料）名称と子商品のシミュレーション構成数量とを製造構成マスタ１０６ｅに記憶された製造時における子商品毎の構成数量に反映する製造構成反映処理を実行している。
【００６０】
ここで、図１１を参照して、本実施形態における紐付けデータ構造の一例について説明する。図１１は、本実施形態における紐付けデータ構造の一例を示す図である。
【００６１】
図１１に示すように、本実施形態においては、親商品のシミュレーション構成マスタ１０６ｂが、親商品（製品）の商品コードを介して、シミュレーションファイル１０６ｃおよび製造構成マスタ１０６ｅと紐付いており、子商品のシミュレーション構成マスタ１０６ｂが、子商品（構成品）の商品コードを介して、シミュレーションファイル１０６ｃと紐付いており、シミュレーションファイル１０６ｃが、親商品（製品）の商品コードまたは子商品（構成品）の商品コードを介して、標準原価マスタ１０６ｄと紐付くことにより、原価シミュレーション処理および製造構成反映処理等の各処理を実行している。
【００６２】
［４．他の実施形態］
本発明は、上述した実施形態以外にも、特許請求の範囲に記載した技術的思想の範囲内において種々の異なる実施形態にて実施されてよいものである。
【００６３】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６４】
また、本明細書中や図面中で示した処理手順、制御手順、具体的名称、各処理の登録データや検索条件等のパラメータを含む情報、画面例、データベース構成については、特記する場合を除いて任意に変更することができる。
【００６５】
また、販売管理装置１００に関して、図示の各構成要素は機能概念的なものであり、必ずしも物理的に図示の如く構成されていることを要しない。
【００６６】
例えば、販売管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて販売管理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００６７】
また、このコンピュータプログラムは、販売管理装置１００に対して任意のネットワークを介して接続されたアプリケーションプログラムサーバに記憶されていてもよく、必要に応じてその全部または一部をダウンロードすることも可能である。
【００６８】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００６９】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、本実施形態に示した各装置において記録媒体を読み取るための具体的な構成および読み取り手順ならびに読み取り後のインストール手順等については、周知の構成や手順を用いることができる。
【００７０】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７１】
また、販売管理装置１００は、既知のパーソナルコンピュータまたはワークステーション等の情報処理装置として構成してもよく、また、任意の周辺装置が接続された当該情報処理装置として構成してもよい。また、販売管理装置１００は、当該装置に本実施形態で説明した処理を実現させるソフトウェア（プログラムまたはデータ等を含む）を実装することにより実現してもよい。
【００７２】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７３】
本発明は、原料の原価の変動が頻繁に起こる食品業、および、単価変動の激しい輸入を行っている製造業等の業界において有用である。
【符号の説明】
【００７４】
１００  販売管理装置
１０２  制御部
１０２ａ  原料原価単価設定部
１０２ｂ  シミュレーション構成設定部
１０２ｃ  製品原価単価取得部
１０４  通信インターフェース部
１０６  記憶部
１０６ａ  原料原価単価マスタ
１０６ｂ  シミュレーション構成マスタ
１０６ｃ  シミュレーションファイル
１０６ｄ  標準原価マスタ
１０６ｅ  製造構成マスタ
１０８  入出力インターフェース部
１１２  入力装置
１１４  出力装置
２００  サーバ
３００  ネットワーク
【図１】
2019106115.tif 000003
【図２】
2019106115.tif 000004
【図３】
2019106115.tif 000005
【図４】
2019106115.tif 000006
【図５】
2019106115.tif 000007
【図６】
2019106115.tif 000008
【図７】
2019106115.tif 000009
【図８】
2019106115.tif 000010
【図９】
2019106115.tif 000011
【図１０】
2019106115.tif 000012
【図１１】
2019106115.tif 000013